(57)【要約】【課題】玉箱等の専用台車を運搬するに際して、ハンドル部の破損を抑制するとともに、ガタツキを生じないようにすることを課題とする。【解決手段】下方が開放した扁平な箱体からなる底部に車輪を有するパチンコ玉箱等を載せるための台車を運搬する器具として、棒体１１の先端側に把手１２が形成されたハンドル部１０と、ハンドル部１０の下端側に固定されるキャスターを有するキャスター部３０と、ハンドル部１０の下端に固定される前記台車の下縁に係合するフック２１ａを有するフック部２０とを設ける。【選択図】  図１
0003135551.tif 000002
【実用新案登録請求の範囲】
【請求項１】
下方が開放した扁平な箱体からなる底部に車輪を有するパチンコ玉箱等を載せるための台車を運搬する器具であって、
棒体の先端側に把手が形成されたハンドル部と、
ハンドル部の下端側に固定されるキャスターを有するキャスター部と、
ハンドル部の下端側に固定される前記台車の下縁に係合するフックを有するフック部と
を有するパチンコ玉箱用台車運搬器具。
【請求項２】
前記フック部は、下方が折り返されることでフック状となった部分を有する板体により形成されるとともに、上端側で板体に平行な回動軸により回動可能に固定され、前記キャスター部から下端が離れるよう傾斜する方向に弾性体により付勢される請求項１に記載のパチンコ玉箱用台車運搬器具。
【請求項３】
前記フック部は、下端が一定距離以上前記キャスター部に近づかないように回動が規制される請求項２に記載のパチンコ玉箱用台車運搬器具。
【考案の詳細な説明】
【技術分野】
【０００１】
本考案は、パチンコ玉入れる玉箱やメダルを入れる箱を載せるキャスター付きの台車を運搬するための器具に関する。
【背景技術】
【０００２】
パチンコにおいて大量に玉が出た場合、パチンコ玉を入れる玉箱が複数になり、そのままでは運搬に支障が生じる。このために、従来は大型の台車を使用することがあったが、狭いパチンコ店の店内において大型の台車は邪魔になる。これを解決するために、近年、下記特許文献１に記載されるような玉箱よりやや大きな玉箱用の専用台車がしばしば使用されるようになっている。玉箱専用台車は、底が開放した箱状体の内部に４つのキャスターを取り付けたものであり、上面の一端側に棒体に把手のついたハンドルを抜差しするための孔が2個設けられている。通常は、この孔にはハンドルを挿さずに、玉箱を運搬する際にのみハンドルを挿すことで邪魔になることがなく、狭いパチンコ店のスペースを有効に使うことができる。なお、玉箱は、パチンコ店に併設されるスロットのコインを入れる箱として用いられることもある。
【特許文献１】特開平９−３２３６２９号公報
【考案の開示】
【考案が解決しようとする課題】
【０００３】
ところで、玉箱は玉がほぼ満杯になると、4kg前後になり複数の玉箱を積み上げると積載重量が15kg以上になることも有る。このような重量物が載った台車において、端部の挿し込み孔にハンドルを挿し込み、ハンドル上部の把手を押す又は引くことで台車を動かそうとすると、動き出すまでに把手に大きな力を掛ける必要があるとともに、把手からハンドルの差込口までの距離があるので、ハンドルの固定部に大きな曲げ応力がかかることになる。この結果、ハンドルの差込部が曲がってしまったり、破損することもある。また、ハンドルは差し込み孔に差し込む為、多少の遊びを設けているのでガタツキが生じ、使用者に不快感を与えていた。このような状況を避けるために、ハンドルを使用せず台車を動かそうとすると、作業者は非常に無理な姿勢を取らざるを得ず腰痛などを発症することもありうる。
本考案は、このような問題に鑑み、玉箱等の専用台車を運搬するに際して、ハンドル部の破損を抑制するとともに、ガタツキを生じないようにすることを課題とする。
【課題を解決するための手段】
【０００４】
上記課題を解決するために、本考案は次のような構成を有する。
請求項１に記載の考案は、下方が開放した扁平な箱体からなる底部に車輪を有するパチンコ玉箱等を載せるための台車を運搬する器具であって、棒体の先端側に把手が形成されたハンドル部と、ハンドル部の下端側に固定されるキャスターを有するキャスター部と、ハンドル部の下端側に固定される前記台車の下縁に係合するフックを有するフック部とを含む玉箱等専用台車運搬器具である。このような構成を有するパチンコ玉箱等専用台車運搬器具は、玉箱等の専用台車の進行方向前後の下縁にフックを係合させて、ハンドル部の把手を持って力を加え、パチンコ玉箱等を載置した台車を移動させるように使用する。
請求項２に記載の考案は、前記玉箱等専用台車運搬器具において、前記フック部は、下方が折り返されることでフック状となった部分を有する板体により形成されるとともに、上端側で板体に平行な回動軸により回動可能に固定され、前記キャスター部から下端が離れるよう傾斜する方向に弾性体により付勢されるものである。
請求項３に記載の考案は、請求項２に記載の玉箱等専用台車運搬器具において、前記フック部は、下端が一定距離以上前記キャスター部に近づかないように回動が規制されるものである。
【考案の効果】
【０００５】
請求項１に記載の考案は、ハンドル部に力を加えた場合、キャスター部を支点として、フック部に玉箱等専用台車の端部を持ち上げる力が発生する。これにより玉箱等専台車は端部において、遠い方のキャスターを支点として比較的小さな力で持ち上がる。即ち、ハンドル部下端に生じる曲げ応力は、玉箱等専用台車の端部が持ち上がることで緩和されるので、ハンドルの破損等を抑制することができる。また、フック部には遊びを設ける必要がないのでガタツキが生じることもない。
請求項２に記載の考案は、板状のフック部をキャスター部から離れるように斜めに傾斜させることで、フック部の先端が張り出すので、容易に玉箱等専用台車の下縁からフック先端を差し入れることができる。また、フック部の上端が回動するように支持されているので、玉箱等専台車の端部を持ち上げる際にフック部の上端に過大な曲げ応力がかかることを抑制することができる。
請求項３に記載の考案は、フック部がキャスター部に一定距離以上近づかないようにすることで、ハンドル部を傾けた際にフック部がキャスター部に当たって、キャスターの動作に支障が生じることを防ぐことができる。
【考案を実施するための最良の形態】
【０００６】
以下、本考案の実施形態について、図を参照しながら説明する。
図１に本実施形態に係る玉箱等専用台車運搬器具Ｘの斜視図し、図２に玉箱等専用台車運搬器具Ｘの下方からみた拡大斜視図を示す。
玉箱等専用台車運搬器具Ｘは、ハンドル部１０、フック部２０、キャスター部３０とから構成される。ハンドル部１０はパイプにより形成される棒状の本体１１と、本体１１の上端を折り曲げられることで水平に形成される把手１２とから形成される。また、ハンドル部１０の下端には、板状体により形成される台座プレート１３が固定される。
キャスター部３０は、市販されている双輪の自在キャスターにより構成され、台座プレート１３下面に固定されている。また、キャスター部３０には、自在キャスターの垂直軸周りの回動を規制するために、Ｌ字状の規制金具３０ａがキャスターから一定間隔を持って左右に固定されている。
【０００７】
フック部２０は、フック部本体２１と軸支部２２とから構成される。フック部本体２１は、Ｈ字状の板体の両下端側を一面側に折り返すことで形成されるフック２１ａ、Ｈ字状の板体の上部の２つの突起部分の両側縁から他面側に形成される固定部２１ｂとからなる。回動固定部２１ｂは、突起部分の両側縁を側方に予め伸延して形成し、これを直角に折り返すことで形成される。回動固定部２１ｂは、後述する回動軸２２ｂが通る穴が形成されている。軸支部２２は、断面コの字状の２つの軸支金具２２ａを有し、各軸支金具２２ａは、互いの端部を有する平板部分が平行になるように、２つの角に挟まれる平板部分が台座プレート下面に固定されている。また、軸支金具２２ａの端部を有する平板部分には、回転軸２２ｂを通す孔が形成されており、この孔と、フック部２１の固定部２１ｂの孔とを重ね合わせ、回転軸２２ｂを各孔に通して固定することで、フック部本体２１は、軸支部２２に回動可能に固定されることとなる。図３に一方の回動軸２２ｂの中心近傍を通る平面で切断した玉箱等専用台車運搬器具Ｘの拡大縦断面図を示す。図に示すように、回動軸２２ｂには、ねじりバネ２２ｃのコイル部分が通してあり、このねじりバネ２２ｃにより、フック部本体２１が前記キャスター部３０から下端が離れるよう傾斜する方向に付勢されている。また、軸支持金具２２ａのフック部本体２１側の上縁には、垂直に下垂する板状体からなる規制舌部２２ｄが形成されており、これにより、フック部本体２２は、下端が一定距離以上前記キャスター部３０に近づかないように回動が規制されている。
【０００８】
次に、以上のような構成を有する玉箱等専用台車運搬器具Ｘの使用方法について説明する。図４に運搬する玉箱等専用台車Dの斜視図を示す。玉箱等専用台車Dは下方が開放した扁平な箱体から構成され、底面には、一方側に２つの自在キャスター、他方側い２つの固定キャスターの合計４つのキャスターDBが設けられている。玉箱等専用台車Dの下縁部には通常床面との間に５ｍｍ〜２０ｍｍ程度の隙間が形成されている。使用者は、まず、玉箱等専用台車運搬器具Ｘのフック部２０のフック２１ａの先端を玉箱等専用台車Ｄの前後のいずれかの下縁と床面との間の隙間から差し入れ、図５に示すように、フック２１ａの内側に、玉箱等専用台車Ｄの下縁が位置するようにする。この際、フック部本体２１が外側に張り出すように傾いているので、ハンドル１０をやや玉箱等専用台車Ｄ側に傾けるようにすると、フック２１ａの先端が下がり、玉箱等専用台車Ｄの下縁から差し入れやすくなる。この状態で、ハンドル１０を玉箱等専用台車Ｄの反対側に傾けることで、フック２１ａを上方に移動させてフック２１ａを玉箱等専用台車Ｄの下縁に係合させる。そして、さらに、図６に示すようにこの下縁を持ち上げて、玉箱等専用台車Ｄのフック２１ａに近い方のキャスターＤＢを床面から浮かせるようにする。この際、フック部本体２１は回動自在に固定されているので、キャスター部２０側へ回動するが、規制舌部２２ｄにより図６に示すようにハンドル部１０の本体１１とほぼ平行な回動位置で規制され、この状態で玉箱等専用台車Ｄの縁部を持ち上げることになる。使用者は、この状態のまま、ハンドル部１０の把手１２を持って玉箱等専用台車Ｄを引くもしくは押すことで移動させる。この際、キャスター部３０には回動を規制する規制金具３０ａが設けられているので、キャスター部３０が必要以上に垂直軸に対して回動することがないので、スムーズに移動させることができる。
【０００９】
このような、構造によりハンドル部１０の本体１１に大きな曲げ応力がかかることがなく、また、玉箱等専用台車Ｄのキャスターに対して上方から押さえつけるような力を加えることがないので、玉箱等専用台車Ｄもスムーズに移動させることができる。また、玉箱等専用台車の進行方向前後のいずれ側からでも係合させることができるので、作業性も高い。
なお、上記実施形態では、キャスター部３０を構成するキャスターは１個であるが、２個以上設けてもよい。また、双輪キャスターでなく単輪キャスターを使用してもよく、さらに、ボールキャスターに代えてもよい。また、キャスターの回動を規制する規制金具３０ａは必要に応じて設けないようにしてもよい。
さらに、上記実施形態では、フック部本体２１は回動可能に台座プレート１３に固定されているが、フック部本体２１を台座プレート１３に回動しないように固定してもよい。この場合、操作性は多少劣ることとなるがコストダウンを図ることができる。
【図面の簡単な説明】
【００１０】
【図１】実施形態に係る玉箱等専用台車運搬器具の斜視図である。
【図２】実施形態に係る玉箱等専用台車運搬器具の下方から見た拡大斜視図である。
【図３】回動軸の中心近傍を通る平面で切断した玉箱等専用台車運搬器具の拡大縦断面図である。
【図４】玉箱等専用台車を示す斜視図である。
【図５】玉箱等専用台車運搬器具の使用状態を示す側面図である。
【図６】玉箱等専用台車運搬器具の使用状態を示す他の側面図である。
【符号の説明】
【００１１】
Ｘ      玉箱等専用台車運搬器具
Ｄ      玉箱等専用台車
１０    ハンドル部
１２    把手
２０    フック部
２１ａ  フック
２２ｃ  ねじりバネ
２２ｄ  規制舌部
３０    キャスター部
【図１】
0003135551.tif 000003
【図２】
0003135551.tif 000004
【図３】
0003135551.tif 000005
【図４】
0003135551.tif 000006
【図５】
0003135551.tif 000007
【図６】
0003135551.tif 000008